【事件の表示】
　特許第３１０４９４１号「写真プリントシステム」の請求項１ないし３に係る特許に対する特許異議の申立てについて、次のとおり決定する。
【結　論】
　訂正を認める。
　特許第３１０４９４１号の請求項１、２、３に係る特許を取り消す。
【理　由】
１．手続の経緯
　特許第３１０４９４１号の請求項１、２、３に係る発明についての出願は、平成４年１１月３０日に特許出願され、平成１２年９月１日にその発明について特許の設定登録がなされ、その後、その特許について、異議申立人中森繁雄より特許異議の申立てがなされ、平成１３年８月９日に取消理由通知がなされ、その指定期間内である平成１３年１０月２２日に訂正請求がされたものである。
　　
２．訂正の適否についての判断
（１）訂正の内容
　ア．訂正事項ａ
　特許請求の範囲の請求項１乃至３の各請求項にある「好みに応じた階調補正を行う」の「階調補正」と「を行う」との間に、「、フイルムの各色素の階調や分光特性が冷却後と異なることを加味した補正」の３４文字をそれぞれ挿入する。
　イ．訂正事項ｂ
　特許請求の範囲の請求項１乃至３の各請求項にある「１件分」を、「１本分」に訂正する。
　　ウ．訂正事項ｃ
　上記に伴い、特許請求の範囲の記載と発明の詳細な説明との記載との整合をとるために、
　明細書段落番号［０００６］にある「好みに応じた階調補正を行う」の「階調補正」と「を行う」との間に、「、フイルムの各色素の階調や分光特性が冷却後と異なることを加味した補正」の３４文字を挿入する。
　エ．訂正事項ｄ
　上記に伴い、特許請求の範囲の記載と発明の詳細な説明との記載との整合をとるために、
　明細書段落番号［０００６］に１カ所、及び［０００７］に２カ所ある　「１件分」を「１本分」に訂正する。
　オ．訂正事項ｅ
　明細書段落番号［００１３］にある「図４は、階調補正機能を有する・・・」の「図４」は誤記のため「図２」に訂正する。
　カ．訂正事項ｆ
　明細書段落番号［００１７］に２カ所ある「補正用のＬＵＴ６０」は誤記のため「補正用のプリンタ用ＬＵＴ６０」に訂正する。
　キ．訂正事項ｇ
　明細書段落番号［００３１］にある「・・・さらに搬送されるこにより・・・」の「こ」と「に」との間に、誤記の訂正を目的として「と」の１文字を挿入する。
　
（２）訂正の目的の適否、新規事項の有無及び拡張・変更の存否
　上記訂正事項ａ，ｃについては、特許第３１０４９４１号発明の明細書中の４カ所の字句、すなわち、「得られた画像データを演算処理することによりフイルムタイプ毎の補正演算、フレーム毎の補正演算、プリンタ特性及び好みに応じた階調補正を行う画像処理装置と、」を、より下位概念である「得られた画像データを演算処理することによりフイルムタイプ毎の補正演算、フレーム毎の補正演算、プリンタ特性及び好みに応じた階調補正、フイルムの各色素の階調や分光特性が冷却後と異なることを加味した補正を行う画像処理装置と、」に限定しようとするものである。当該「フイルムの各色素の階調や分光特性が冷却後と異なることを加味した補正を行う画像処理装置」は、本件明細書段落番号［００１７］にある「・・・なお、乾燥直後のネガフイルムの色素は、高濃度のため、最後　の安定状態での濃度とは異なることが知られている。このため、色補正マト　リックス回路６１では、カラーペーパーの色特性に合わせる補正を行う他に、ネガフイルム１７の各色素の階調や分光特性が冷却後と異なることを加味した補正も行っている。」の記載、及び図２に記載されていたものである。画像処理部３４のフレーム毎の補正演算については、本件明細書段落［００１３］〜［００１５］に、プリンタ特性については明細書段落番号［００１７］に、さらに好みに応じた階調補正については［００１６］に、そしてフイルムタイプ毎の補正演算については、明細書段落番号［００１７］にそれぞれ記載されている。よって本件明細書に記載の画像処理部３４が本件請求項１乃至３に記載の画像処理装置にそれぞれ相当する。したがって、特許請求の範囲の減縮を目的とした明細書の訂正に該当する。
　上記訂正事項ｂ，ｄについては、本件明細書には、実施形態として、乾燥処理後に各フレームを読み取った１本分のフイルムをフイルム収納シースに挿入するときに、作業効率を良くするために、１本分のフイルムを複数つなぎ合わせて帯状にする点が記載されているから、このため、特許請求の範囲に記載の「１件分」は、１本のフイルムを複数つなぎ合わせた分と読み取れるおそれがあり、明りようではないから、そこで、本件明細書段落番号［００２７］にある「フイルム集積部１４に吊り下げられたネガフイルム１７は、１本ずつカッティングインサータにセットされ、６コマずつに切断されてからフイルム収納シースに挿入される。・・・」との記載を根拠として「１本分」に訂正するものである。したがって、この訂正は、明りようでない記載の釈明を目的とするものに該当する。
　上記訂正事項ｅ、ｆ、ｇについては、この訂正は誤記の訂正を目的とするものに該当する。
　上記訂正事項はいずれも、新規事項の追加に該当せず、実質的に特許請求の範囲を拡張又は変更するものではない。
　
（３）むすび　
　したがって、上記訂正は、特許法第１２０条の４第２項及び同条第３項で準用する第１２６条第２項及び第３項の規定に適合するので、当該訂正を認める。
　　
３．特許異議の申立てについての判断
（１）本件発明
　上記２．で示したように上記訂正が認められるから、本件の請求項１、請求項２、請求項３に係る発明は、上記訂正に係る訂正明細書の特許請求の範囲の請求項１、２、３に記載された事項に特定される次のとおりのものである。
「【請求項１】 フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正、フイルムの各色素の階調や分光特性が冷却後と異なることを加味した補正を行う画像処理装置と、画像処理装置からの画像データに基づき感光材料を焼付露光するプリンタと、１本分のフイルムを所定フレーム毎に切断し、得られたフイルムピースをフイルム収納シースの袋部内に挿入するインサータとからなることを特徴とする写真プリントシステム。
【請求項２】 フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正、フイルムの各色素の階調や分光特性が冷却後と異なることを加味した補正を行う画像処理装置と、画像処理装置からの画像データに基づき感光材料を焼付露光するプリンタと、１本分のフイルムを順にスプライステープでつなぎ合わせるスプライス部とからなることを特徴とする写真プリントシステム。
【請求項３】 フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正、フイルムの各色素の階調や分光特性が冷却後と異なることを加味した補正を行う画像処理装置と、画像処理装置からの画像データに基づき感光材料を焼付露光するプリンタと、１本分のフイルムを保存用カートリッジの内部にロール状に収納するフイルム巻取り部とからなることを特徴とする写真プリントシステム。」
　　
（２）申立て理由の概要
　申立人中森繁雄は、証拠として甲第１号証（特開平４−３３８７４２号公報）、甲第２号証（特開昭６１−１２０５８１号公報）、甲第３号証（特開平４−８６８２４号公報）、甲第４号証（特開平４−７６５４８号公報）、甲第５号証（特開平４−２０４８４４号公報）、甲第６号証（特開平４−１４３７６０号公報）、甲第７号証（特開平３−２１４１５８号公報）を提出し、請求項１〜３に係る発明は、特許法第２９条第１項、又は同第２項の規定に違反してなされたものであるから、特許を取り消すべき旨主張している。
　　
（３）引用刊行物に記載された発明
　当審が平成１３年８月９日付けで通知した取消理由で引用した刊行物は、刊行物１（特開平４−３３８７４２号公報）、刊行物２（特開昭６１−１２０５８１号公報）、刊行物３（特開平４−８６８２４号公報）、刊行物４（特開平４−７６５４８号公報）、刊行物５（特開平４−２０４８４４号公報）、刊行物６（特開平４−１４３７６０号公報）、刊行物７（特開平３−２１４１５８号公報）、刊行物８（特開平４−１５７４４４号公報）である。
（刊行物１）
　その刊行物１（特開平４−３３８７４２号公報）（以下、「引用例１」という。）には、以下のような事項が記載されている。　
　ア．「【００１２】図１は撮影済カラーネガフィルムを自動現像した後に、該ネガフィルムの画像を自動的にプリントする自動現像プリント装置の構成図である。
【００１３】ネガフィルムを湿式現像する自動現像装置２は、撮影済フィルム４を収容したパトローネ６を装着した後に、該フィルム４を現像槽８、漂白槽１０、定着槽１２、水洗槽１４、乾燥部１６に順次搬送してカラー現像する構成である。また、自動現像装置２は乾燥部１６に隣接して画像読取装置１８が設けられており、該画像読取装置１８により現像後のフィルム４の画像を読み取り、読み取った画像を光電変換して画像信号を得られるようになっている。画像を読み取られたフィルム４はカッター１９により数コマずつのピースフィルムに切断されてネガシート内に装填される。」（第３頁左欄第７〜２０行目）
　イ．「入力切換部２４は操作キー３０からの入力情報に基づいてＣＰＵ２８により作動を制御され、自動現像装置２からの画像情報又はピースフィルム読取装置３２からの画像情報のいずれかを画像処理装置２６に供給する。入力切換部２４は、自動現像装置２の画像読取装置１８が作動中のとき、少なくとも一本分のフィルム４の処理が終了するまで自動現像装置２からの画像情報が画像処理装置２６に供給されるように作動する。」（第３頁左欄第３６〜４４行目）　　
　ウ．「【００２５】メインスキャン部５６により読み取って得たフィルム４の画像情報は入力切換部２４を介して画像処理装置２６に供給され、必要に応じて濃度補正、階調補正、色補正、輪郭強調、倍率変更、回転等の処理が施される。」（第４頁左欄第４３〜４７行目）
　エ．「そして、画像処理装置２６により処理された画像情報に基づいて、プリント装置３４において駆動回路４８が露光装置３８を駆動し、ＲＧＢの３色光によりカラーペーパー３６を走査露光する。カラーペーパー３６を走査露光するには、光源として例えば半導体レーザ、ガスレーザ等が用いられ、この種の光源からの光を例えばポリゴンミラーでカラーペーパー３６へ向けて反射し、カラーペーパー３６を幅方向に走査露光しながら搬送することによりカラーペーパー３６に潜像が形成される。」（第４頁右欄第４〜１３行目）
　オ．「【００２７】画像処理装置２６はフレームメモリを備えており、フィルム４の少なくとも１コマ分の画像情報を記憶することができる。例えばフィルム４が３５ｍｍ幅の撮影フィルムである場合、フィルム４によってフルサイズ、ハーフサイズ、パノラマ等の画像がある。画像処理装置２６は画像読取装置１８のプレスキャン部５４で検出した画像サイズに応じて、フレームメモリから画像情報を読み出す順を変えて、駆動回路４８に画像情報を供給する。」（第４頁右欄第２２〜３０行目）
　カ．「【００３３】また、画像の読取操作に先立ちフィルムをプレスキャンして、フィルムの各コマ毎の画面位置、画面サイズを検出することにより、その後の処理の条件（メインスキャンの範囲、読取条件等）を適切に設定でき、正確な処理を行うことができる。更に、フィルムをプレスキャンして読み取った画像情報に基づいて、プリントする画像情報を補正処理することができ、画像の仕上がり品質が向上する。」（第５頁左欄第４８行目〜同頁右欄第５行目）
　ク．図１には自動現像プリント装置のブロック構成図が、図２には画像読取装置の構成図が示されている。
　これらの記載事項によれば、引用例１には、以下のとおりの発明が記載されていると認められる。
「撮影済フィルム４を収容したパトローネ６を装着した後に、該フィルム４を現像槽８、漂白槽１０、定着槽１２、水洗槽１４、乾燥部１６に順次搬送してカラー現像すると共に、乾燥部１６に隣接して画像読取装置１８が設けられており、該画像読取装置１８により現像後のフィルム４の画像を読み取り、読み取った画像を光電変換して画像情報を得られるようになっている自動現像装置２と、
　自動現像装置２からの画像情報を入力し、画像信号に、必要に応じて濃度補正、階調補正、色補正、輪郭強調、倍率変更、回転等の処理を施すための画像処理装置２６と、
　画像処理装置２６により処理された画像情報に基づいて、駆動回路４８が露光装置３８を駆動し、ＲＧＢの３色光によりカラーペーパー３６を走査露光するプリント装置３４と
を備え、
　画像を読み取られたフィルム４はカッター１９により数コマずつのピースフィルムに切断されてネガシート内に装填される自動プリント装置。」（以下、「引用発明１」ということがある。）
　
（刊行物２）
　刊行物２（特開昭６１−１２０５８１号公報）には、以下のような事項が記載されている。
　ケ．「このようにして、変換補正・輝度・コントラストの微調整について、フィルムの種類等の変化があっても簡単な手順で変換ルックアップテーブルを書き換えることができる。
　なお実施例においては、フィルムのHD特性・光変調器の入出力特性を複数のサンプリングデータを入力し、簡単のために直線近似により求めたが、更に滑らかな近似にするために２次曲線近似等の各種近似関数を用いることも可能である。
　また実施例においては、説明が容易なようにフィルムHD特性・輝度調整値・コントラスト調整値は単数として扱ってきたが、複数のフィルムのHD特性、複数の輝度調整値・コントラスト調整値を、磁気記憶装置等の不揮発性メモリに格納しておき、操作スイッチによりフィルム種類・撮影画像の階調を選択可能にし、スイッチが切換った時点で、実施例のように演算を行うことにより、より操作性の良い画像信号処理装置を得ることも可能である。」（刊行物２の第４頁下右欄第６行目〜第５頁上左欄第４行目）
　
（刊行物３）
　刊行物３（特開平４−８６８２４号公報）には、以下のような事項が記載されている。
　コ．「そして、リール１本分のフイルム２０ａの焼付露光を終了すると、これの後端に次のフイルム１０ａがフイルムスプライサ７６により接合される。」（刊行物３の第５頁下左欄第４〜７行目）
　
（刊行物４）
　刊行物４（特開平４−７６５４８号公報）には、以下のような事項が記載されている。
　サ．「フイルム装填部２１とペーパー装填部２３との出口側にはスプライサー２８、２９が設けられており、一方のフイルムやペーパーが終了すると、これの後端に次のフイルムなどの先端を接合する。」（刊行物４の第３頁上右欄第１５〜１８行目）
　
（刊行物５）
　刊行物５（特開平４−２０４８４４号公報）には、以下のような事項が記載されている。
　シ．「フイルム１本分の現像が終了し、第３図に示すように、その後端が現像処理部５１から排出されると、可動ガイド７０がスプライサー８５側に切り換わる。この後、フイルム送りローラ対８７、７３の回転によりフイルム後端が接合位置にセットされる。このセットはフイルム後端センサ８６の後端検出信号に基づき行われる。その後、スプライサー８５によりフイルム後端と、空のカートリッジ６０のフイルムリーダ６０ａとがホットメルト接着層２４を介して接合される。
　接合されたフイルムは、スプール１１ｂの回転によりカートリッジ６０又は６６内に巻き取られる。」（刊行物５の第７頁上左欄第１５行目〜同頁上右欄第７行目）
　
（刊行物６）
　刊行物６（特開平４−１４３７６０号公報）には、以下のような事項が記載されている。
　ス．「第５図に焼付露光済みフイルム１００の巻取り装置を示す。パトローネホイルダー１０２には焼付露光済みフイルム１００を巻取り収納する空のパトローネ１０３がセットされる。空のパトローネ１０３のスプール１０４には、リーダーテープ１０５の一端が固定されており、他端はパトローネ本体１０６から外部に出た状態とされている。このリーダーテープ１０５の先端はスプライサ１０７の接合位置にセットされる。スプライサ１０７は、リーダテープ１０５の先端と焼付露光済みフイルム１００の後端とをスプライステープ１０８により接合する。スプール回動軸１０９はスプロール１０４の軸端に係合して、スプール１０４を巻取り方向に回動する。」（刊行物６の第４頁下右欄第９行目〜第５頁上左欄第２行目）
　　　
（４）対比・判断
　（ア）本件請求項１に係る発明について
　本件請求項１に係る発明と引用発明１とを対比すると、引用発明１の「画像情報」、「画像読取装置」、「自動現像装置」、「カラーペーパー」、「プリント装置」、「ネガシート」、「自動プリント装置」は、本件請求項１に係る発明の「画像データ」、「画像読取り部」、「フイルムプロセサ」、「感光材料」、「プリンタ」、「フイルム収納シースの袋部」、「写真プリントシステム」に相当し、また、引用発明１の「乾燥部１６に隣接して画像読取装置１８が設けられており」は、本件請求項１に係る発明の「乾燥の直後に」に相当すると認められるから、両者は、
「フイルムの発色現像の後で乾燥の直後に、そのフイルムを走査して画像データを得る画像読取り部を有するフイルムプロセサと、得られた画像データを演算処理することにより補正を行う画像処理装置と、画像処理装置からの画像データに基づき感光材料を焼付露光するプリンタと、１本分のフイルムを所定フレーム毎に切断し、得られたフイルムピースをフイルム収納シースの袋部内に挿入することを特徴とする写真プリントシステム。」において一致し、次の点で相違する、
〈相違点１〉
　画像処理装置が、本件請求項１に係る発明では、得られた画像データを演算処理することによりフイルムタイプ毎の補正演算、フレーム毎の補正演算、プリンタ特性及び好みに応じた階調補正、フイルムの各色素の階調や分光特性が冷却後と異なることを加味した補正を行うのに対して、引用発明１では、自動現像装置２からの画像情報を入力し、画像信号に、必要に応じて濃度補正、階調補正、色補正、輪郭強調、倍率変更、回転等の処理をしている点。
〈相違点２〉
　引用例発明１では、インサータが記載されていない点。
〈相違点１について〉
　しかしながら、フイルムタイプ毎の補正を行うことは、例えば、刊行物２に示されているように、当業者が必要に応じて行う補正であると認められ、また、フレーム毎の補正、プリンタ特性及び好みに応じた階調補正は、当業者が必要に応じて行う補正であると認められ、さらに、フイルムの各色素の階調や分光特性が冷却後と異なることは、例えば、権利者の特許出願に係る特開平４−１５５３２４号公報等に記載されているように、周知のことである（第２頁上右欄第９〜１３行に「一般にネガフィルムなどの感光材料に記録された画像は感光材料の温度によって色バランスが異なることから、前記プロセッサ部から排出されたネガフィルムの画像の色バランスは室温の場合と大きく異なっている。」と記載されている。）から、引用例１ものにおいて、フイルムの各色素の階調や分光特性が冷却後と異なることを加味した補正を行うことは当業者が容易に想到し得ることと認められる。
〈相違点２について〉
　引用例１においても、数コマずつのピースフィルムに切断されてネガシート内に装填しているから、これをインサータにより行うことは当業者が容易に考えることである。
　　　　
（イ）本件請求項２に係る発明について
　本件請求項２に係る発明と、引用例１とを比較すると、上記相違点１に加えて、下記の点で相違する。
〈相違点３〉
　本件請求項２に係る発明は、１本分のフイルムを順にスプライステープでつなぎあわせるスプライス部を有するのに対して、引用例１には、スプライス部は記載されていない。
〈相違点３について〉
　一本のフイルムを順にスプライステープでつなぎあわせるスプライス部を設けることは、例えば、上記刊行物３、４により周知のことであるから、引用例１のものにスプライス部を設けることは当業者が容易に推考することができることである。
　
（ウ）本件請求項３に係る発明について
　本件請求項３に係る発明と、引用例１とを比較すると、上記相違点１に加えて、下記の点で相違する。
〈相違点４〉
　本件請求３に係る発明は、１本分のフイルムを保存用カートリッジの内部にロール状に収納するフイルム巻取り部を有するのに対して、引用例１には、フイルム巻取り部は記載されていない。
〈相違点４について〉
　１本分のフイルムを保存用カートリッジの内部にロール状に収納するフイルム巻取り部を設けることは、例えば、上記刊行物５、６により周知であるから、引用例１のものにフイルム巻取り部を設けることは当業者が容易に推考することができることである。
　　　
（５）むすび
　以上のとおりであるから、本件請求項１、２、３に係る発明は、上記引用例１（刊行物１）に記載された発明、及び周知例（刊行物３乃至６）に基づいて当業者が容易に発明をすることができたものであるから、本件請求項１、２、３に係る発明についての特許は、特許法第２９条第２項の規定により特許を受けることができない。
　したがって、本件請求項１、２、３に係る発明についての特許は拒絶の査定をしなければならない特許出願に対してされたものと認める。
　よって、特許法等の一部を改正する法律（平成６年法律第１１６号）附則第１４条の規定に基づく、特許法の一部を改正する法律の施行に伴う経過措置を定める政令（平成７年政令第２０５号）第４条第２項の規定により、結論のとおり決定する。
【異議決定日】
平成１３年１１月５日（２００１．１１．５）
【訂正の要旨】
訂正の要旨
ア．訂正事項ａ
　特許請求の範囲の請求項１乃至３の各請求項にある「好みに応じた階調補正を行う」の「階調補正」と「を行う」との間に、「、フイルムの各色素の階調や分光特性が冷却後と異なることを加味した補正」の３４文字をそれぞれ挿入する。
イ．訂正事項ｂ
　特許請求の範囲の請求項１乃至３の各請求項にある「１件分」を、「１本分」に訂正する。
ウ．訂正事項ｃ
　上記に伴い、特許請求の範囲の記載と発明の詳細な説明との記載との整合をとるために、
　明細書段落番号［０００６］にある「好みに応じた階調補正を行う」の「階調補正」と「を行う」との間に、「、フイルムの各色素の階調や分光特性が冷却後と異なることを加味した補正」の３４文字を挿入する。
エ．訂正事項ｄ
　上記に伴い、特許請求の範囲の記載と発明の詳細な説明との記載との整合をとるために、
　明細書段落番号［０００６］に１カ所、及び［０００７］に２カ所ある　「１件分」を「１本分」に訂正する。
オ．訂正事項ｅ
　明細書段落番号［００１３］にある「図４は、階調補正機能を有する・・・」の「図４」は誤記のため「図２」に訂正する。
カ．訂正事項ｆ
　明細書段落番号［００１７］に２カ所ある「補正用のＬＵＴ６０」は誤記のため「補正用のプリンタ用ＬＵＴ６０」に訂正する。
キ．訂正事項ｇ
　明細書段落番号［００３１］にある「・・・さらに搬送されるこにより・・・」の「こ」と「に」との間に、誤記の訂正を目的として「と」の１文字を挿入する。
（５４）【発明の名称】
写真プリントシステム
（５７）【特許請求の範囲】
　【請求項１】　フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正
、フイルムの各色素の階調や分光特性が冷却後と異なることを加味した補正
１本分
　【請求項２】　フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正
、フイルムの各色素の階調や分光特性が冷却後と異なることを加味した補正
１本分
　【請求項３】　フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正
、フイルムの各色素の階調や分光特性が冷却後と異なることを加味した補正
１本分
【発明の詳細な説明】
　【０００１】
　【産業上の利用分野】
　本発明は、写真プリントシステムに関し、更に詳しくは、画像読取り部を持ったフイルムプロセサと、電気信号から画像を記録材料に記録するプリンタもしくはプリンタプロセサとを組み合わせて、ハードコピィ例えばプリント写真を作製する写真プリントシステムに関するものである。
　【０００２】
　【従来の技術】
　小規模現像所では、フイルムプロセサにより写真フイルム、例えばネガフイルムを現像処理し、次に、このネガフイルムをプリンタあるいはミニラボタイプのプリンタプロセサにセットして、ネガフイルムに記録された各フレームをカラーペーパーに投影して、プリント写真を作製している。
　【０００３】
　【発明が解決しようとする課題】
　このような写真プリントシステムでは、ネガフイルムの現像処理後に、これをプリンタあるいはプリンタプロセサにセットして現像するため、ネガフイルムの現像処理が完全に終わらなければ、次のプリントを行うことができないという問題がある。すなわち、図１０に示すように、従来の写真プリントシステムは、フイルム現像工程、フイルムセット工程，プリント，ペーパー現像，カット工程を経て、プリント写真を作成している。このため、同時プリントの依頼を受けてフイルムの現像を開始してから、プリント写真を得るまで、２０分弱かかってしまい、急ぎの同時プリント処理時には顧客を待たせることになる。特に現像後のフイルムをリーダーシートからはがす作業は面倒であり、数十秒以上を要する。また、ネガフイルムをプリンタあるいはプリンタプロセサにセットする必要があり、このセット時に手作業によりハンドリングするため、仕上がったネガフイルムに誤って傷をつけてしまうという恐れもある。
　【０００４】
　また、図１１に示すように、フイルムプロセサとプリンタプロセサとを連結し、フイルムプロセサから出た現像処理済みのネガフイルムを直接、プリンタプロセサに送り込むことにより、フイルムセット時間を短縮することも考えられる。しかしながら、この場合に、フイルムプロセサを出た現像処理済みネガフイルムをプリンタプロセサのフイルムキャリアに自動的に送るためのフイルムガイド装置等が必要になり、装置構成が複雑になるという問題が発生する。
　【０００５】
　本発明は上記課題を解決するためのものであり、ネガフイルムを受け取ってから同時プリントを終了するまでの時間を短縮することができ、しかもフイルムを傷付けることのないようにした写真プリントシステムを提供することを目的とする。
　【０００６】
　【課題を解決するための手段】
　上記目的を達成するために、請求項１記載の発明は、フイルムの発色現像の後で乾燥の直後に、そのフイルムを走査して画像データを得る画像読取り部を有するフイルムプロセサと、得られた画像データを演算処理することによりフイルムタイプ毎の補正演算、フレーム毎の補正演算、プリンタ特性及び好みに応じた階調補正
、フイルムの各色素の階調や分光特性が冷却後と異なることを加味した補正
１本分
　【０００７】
　請求項２記載の発明では、インサータの代わりにスプライス部を用い、
１本分
１本分
　【０００８】
　【実施例】
　図１に示す写真プリントシステムは、フイルムプロセサ２とプリンタプロセサ３とから構成されている。フイルムプロセサ２は、フイルム挿入部４，各処理槽６〜１１，乾燥部１２，撮像部１３，及びフイルム集積部１４を備えている。露光済みの写真フイルム例えばカラーネガフイルム１７は周知のようにカセット１８内に巻き取り収納されている。ネガフイルム１７の現像に際して、先ず、カセット１８から周知のベロ出し具によりフイルム先端を引き出し、これにリーダーシート１９を接合する。リーダーシート１９は、周知のように、中央にパーフォレーションが一定ピッチで形成されており、多数の突起を一定ピッチで形成した無端ベルトやスプロケット等に係合することにより、フイルムプロセサ４内を搬送される。
　【０００９】
　リーダーシート１９の接合後に、カセット１８がフイルム挿入部４にセットされる。リーダーシート１９が移送されると、カセット１８からネガフイルム１７が引き出され、各処理槽６〜１１に向けて送られる。また、カセット１８からネガフイルム１７が全て引き出されるとフイルム後端がカッタ２２により切断され、ネガフイルム１７がパトローネ１８から分離される。処理槽６〜１１は、周知のように、発色現像槽６，漂白槽７，漂白定着槽８，スーパーリンス槽９，１０，安定槽１１からなる。各処理槽６〜１１で現像処理されたネガフイルム１７は、乾燥部１２で熱風により乾燥される。ネガフイルム１７は、乾燥処理の直後に撮像部１３で各フレームが撮像されてから、リーダーシート１９がフイルム集積部１４のフック１４ａに掛けられる。
　【００１０】
　ネガフイルム１７は、乾燥処理の直後に撮像部１３に入り、２枚の透明なガラス板２３，２４の間を通過する際に、各フレームに記録された画像が読み取られる。この画像読取りのために、透明ガラス２３の上方に、ランプ２５とコンデンサレンズユニット２６からなる光源部２７が配置されている。光源部２７には冷却ファン２８が設けられており、ランプ２５に空気を吹きつけて冷却する。また、透明ガラス２４の下方には、スリット３０，レンズ３１及びＣＣＤラインセンサ３２が設けられている。スリット３０はネガフイルム１７の幅方向に細長く形成されている。搬送中のネガフイルム１７を透過した光は、スリット３０を介して、レンズ３１によってカラーラインセンサ３２の素子面に投影され、各フレームがライン走査される。
　【００１１】
　カラーラインセンサ３２は、マトリックスに配置された多数のＣＣＤ素子と、Ｒ，Ｇ，Ｂのモザイクフイルタからなる。通常用いられるＣＣＤラインサンサのダイナミックレンジは濃度値で表すと、Ｄ＝２程度であり、ネガフイルム１７の画像の最大濃度Ｄ＝３．５と比べて小さいため、そのままでは読み取ることができない場合がある。しかし、ネガフイルム１７の画像濃度のダイナミックレンジ自体は、１．５程度であり、その蓄積時間を変えることにより読取りが可能になる。蓄積時間を予め設定するために本来のＣＣＤラインセンサとは別に、その前段で画像内の最大濃度を知るためのプレスキャン用ＣＣＤセンサを用いるのが有効である。なお、フイルム送りに同期して画像を読み取るカラーイメージラインセンサーの代わりに、フイルム送りの停止中に画像を読み取るカラーイメージエリアセンサーを用いてもよい。
　【００１２】
　画像読取回路３３は、カラーラインセンサ３２を駆動して、１ライン分の画像データを取り込む。この画像データは、プリンタプロセサ３の画像処理部３４に送られる。この画像処理部３４では、色及び濃度について補正を行い、この補正した画像データをプリント部３５に送る。プリント部３５は、画像データに基づきカラーペーパー３６を焼付露光する。焼付露光済みのカラーペーパー３６はぺーパープロセサ部３７で現像処理され、最後にカッター３８で１枚毎に切断されてから、トレイ３９へ排出される。なお、この実施例では、フイムプロセサ２とプリンタプロセサ３とは別体であるが、１つのケース内に設けて一体型としてもよい。
　【００１３】
　
図２
　【００１４】
　出力１から出力された画像データは乗算器４４に入り、ノイズ除去のための係数（Ｋ）が掛けられ、加算器４３に入る。ここで読み出された画像データは１フレーム前の画像であることはいうまでもない。このようにして、画像データのノイズ成分を除去する。また、乗算器４４の係数（Ｋ）を「１」にして、入力側のデータを任意の領域セレクタ４２によって強制的に「０」にし、セレクタ４６をその領域のみ出力１をＯＮにし、更に転送速度を倍にし、かつ読み出したデータを１画素毎に間引いて加算器に入力すれば、１フレーム前の画像を１／２に縮小した画像が現フレームに嵌め込まれる（これをピクチャー・イン・ピクチャーと呼ぶ）。また、間引きを行わず、書込みの位置のみを制御すれば同じ画像を半分ずつ並べて表示することもできる。
　【００１５】
　出力２からの画像データはルックアップテーブルメモリ５０，５１（以下ＬＵＴと呼ぶ）を通ってγ補正等が施され、セレクタ５２を介してＤ／Ａ変換器５３に入りアナログ信号に変換されてモニタＣＲＴ５４へ出力される。ここで、ＬＵＴ５０，ＬＵＴ５１は、ピクチャー・イン・ピクチャー・モード時の現画面用と挿入画面用のＬＵＴで、両方のＬＵＴはそれぞれ独立に色調補正が施されてカラーモニター５４に表示することを可能にしている。このようにすることで、色調調整の際、リアルタイムに調整前の画像（縮小された方の画像）と調整後の画像とが比較できる。
　【００１６】
　なお、ＬＵＴ５０，５１は高速なメモリから構成されており、各アドレスに対応したデータをあらかじめマイクロプロセサ５５から書き込むことで、色調の変換が行える。マイクロプロセサ５５は、ＬＵＴ５０，５１のデータの書き換えの外に、色補正マトリックスの係数、乗算器の係数等を自由に書き換えることができる。なお、符号５６はメモリ及びタイミングコントローラを示す。
　【００１７】
　フリーズされた画像データをプリンタヘ転送する時は、画像データはビデオメモリ４５の出力１から読み出される。この画像データは、補正用の
プリンタ用
プリンタ用
　【００１８】
　上記実施例によると、ＤＰ処理サイクルは、図１１に示す処理時間を実現できる。前述したように、フイルム現像後、乾燥部１２を出た後に、ネガフイルム１７のプリント対象フレームの画像をフイルム送りに同期させて走査して撮像し、この画像データを用いて直ちにデジタルプリントを行っている。このため、フイルム現像とプリント工程とにおいて、それらの間のつなぎ時間（約１分程度）を短縮することができるから、１オーダー分の処理時間に対しても前述したつなぎ時間の分だけ短縮することができる。これにより、現像後のフイルムをフイルム現像機から取り出し、リーダーシートを剥がし、プリンタにセットするという手間を省略するとともに、ＤＰ受付からプリント写真の仕上がりまでの全体時間を短縮することができる。したがって、ミニラボにおいて、急ぎのＤＰ処理をより一層、且つ簡単に短時間で行うことができるようになり、顧客の待ち時間を短縮することができる。
　【００１９】
　次に、上記のような専用のプリンタプロセサの代わりに、従来方式のようにネガフイルム１７からの直接的な焼付露光方法と、上記フイルムプロセサ２からのネガフイルム１７の画像データによる焼付露光方法とを選択することのできるプリンタプロセサについて説明する。このプリンタプロセサは、図３に示すように、ネガフイルム１７を用いた第１の焼付露光系７０と、フイルムプロセサからの三色画像データを用いてこれを白黒ＣＲＴ７１に表示し、三色の色フィルタ７２〜７４を焼付光路７５に順次挿入して三色面順次露光を行う第２の焼付露光系７６とを備えている。
　【００２０】
　第１の焼付露光系７０は、光源部８０により、ネガフイルム１７のプリント対象フレームの画像を照明し、この透過光を焼付レンズ８１によりカラーペーパー８２に結像させて、プリント対象フレームの画像をカラーペーパー８２に焼付露光するものである。光源部８０は、周知のように、光源８３と、この光源８３の光質を調節するために三色の色フィルタ８４〜８６を焼付光路８７に挿入する色フイルタ駆動部８８と、光質調整された焼付光を均一に拡散するミキシングボックス８９とからなる。ネガフイルム１７は、フイルムキャリア９０にセットされる。フイルムキャリア９０は、周知のように、プリント対象フレームをプリント位置にセットする。
　【００２１】
　第２の焼付露光系７６は、白黒ＣＲＴ７１と、このＣＲＴ７１に表示された画像をカラーペーパー８２に結像する焼付レンズ９５と、ＣＲＴ７１に表示された画像をカラーペーパー８２に三色面順次露光するためのフイルタセット部９６とからなる。なお、第１及び第２の焼付露光系７０，７６の画像を選択的にカラーペーパー８２に結像させるために、焼付光路８７には、ミラー９７が出没自在に設けられている。このミラー９７は切換え部９８により、焼付光路８７から退避した位置と、焼付光路８７に４５度の傾斜角度で挿入される位置との間で変位する。なお、ミラー９７と切換え部９８の代わりに、ハーフミラーやハーフプリズムを用いるようにしてもよい。符号１００はＴＶカメラであり、ネガフイルム１７の画像をモニターＣＲＴ１０１に表示する際に用いられる。また、符号１０２は、シャッタ１０３を開閉するシャッタ駆動部である。
　【００２２】
　焼付露光済みのカラーペーパー８２は、ペーパープロセサ部１０５に送られる。ペーパープロセサ部１０５には、プリント速度とペーパー現像速度との違いを吸収するためのペーパーリザーバー１０６が設けられており、ペーパー８２をループ状に貯留する。一定長さで貯留されたペーパー８２は、その後、各処理槽１０７〜１１１を経て現像処理され、乾燥ドラム１１３で乾燥された後に、カッタ部１１４で１フレーム毎に切断され、写真受け１１５に排出される。このように、プリント部に第１及び第２の焼付露光系７０，７６を設けることで、ＤＰ処理の注文に応じて、これら露光系７０，７６を選択でき、顧客のニーズに合わせたＤＰ処理を行うことができる。また、フイルム現像中に第２の焼付露光系７６で同時プリントを行い、その後、この仕上がり状態を見て、第１の焼付露光系７０でネガフイルム１７を用いて本プリントを行うようにしてもよい。また、第２の焼付露光系７６で、レイアウト処理を行ってインデックスプリントを作成し、これの仕上がり状態から第１の焼付露光系７０で本プリントを行うようにしてもよい。
　【００２３】
　なお、上記実施例では、撮像部１３にネガフイルム１７のＤＸコードやフレーム番号バーコード等の読取り装置を付加させたり、更には、撮像部１３により直接にこれらコードを読み取るようにしてもよい。また、プリント部１５として光学式カラープリンタが用いられており、白黒ＣＲＴに焼付する画像を表示して色フイルタの順時挿入によりカラーペーパーに三色面順次露光を行う。なお、光学式カラープリンタの他に、感熱方式のカラープリンタやインクジェット方式のカラープリンタを用いてもよい。光学式プリンタは周知のように、記録スタイラスとしてＣＲＴの他に、液晶表示パネル、レーザービーム等の光ビームを用いてもよい。
　【００２４】
　図４は、レーザービーム等の光ビームを用いたプリント部を示す。このプリント部１１９は、赤色光を放出するＨｅ−Ｎｅレーザー１２０，緑色光を放出するＨｅ−Ｃｄレーザー１２１，青色光を放出するＡｒレーザー１２２を備えている。各レーザー１２０〜１２２からのレーザービームは、各光変調器１２３，１２４，１２５により画像処理部１４からの画像データに基づき変調される。プリントの開始前に、レーザービームの輝度が適正かどうかを調べるために、基準の画像データで強度変調したときの各レーザビームは、その一部がビームスプリッタ１２６で取り出されて光変調器１２３〜１２５にフィードバックされる。なお、ガスレーザーの他に、半導体レーザーを用いてもよい。
　【００２５】
　画像データに基づき変調された各レーザービームは、ミラー１２７，ダイクロイックミラー１２８，１２９により１本のビームにされ、これが周知のコリメート光学系（図示せず）により平行光に直された後に、シリンドリカルレンズ１３０を経て、ポリゴンミラー１３１に入る。ポリゴンミラー１３１はモータ１３２により高速回転され、この回転によりカラーペーパー３６の幅方向にレーザービームを振り、ポリゴンミラー１３１の１面につき１回の主走査を行う。ｆθレンズ１３３及びシリンドリカルレンズ１３４からなる結像光学系は、ポリゴンミラー１３１により偏向されたレーザービームをカラーペーパー３６上で絞り込み、感光密度に応じたビーム径となるようにしている。
　【００２６】
　ペーパー送りローラ対１３５は、レーザービームの主走査に同期させてカラーペーパー３６を送って副走査する。ペーパー送りローラ対１３５は、モータ１３６により回転される。各モータ１３２，１３６はドライバ１３７，１３８を介し、コントローラ１３９により回転制御される。コントローラ１３９は、画像処理部１４からの同期信号に基づき各モータ１３２，１３６を回転制御する。このペーパー送りによる副走査とレーザービームの主走査により、カラーペーパー３６に、ネガフイルム１７の画像を焼付露光する。焼付露光済みのカラーペーパー３６はそのままぺーパープロセサ部１７に送られ、ここで現像処理される。現像処理済みのカラーペーパー３６は、周知のように各フレーム毎に切断されてトレイに排出される。
　【００２７】
　フイルム集積部１４に吊り下げられたネガフイルム１７は、１本ずつカッティングインサータにセットされ、６コマずつに切断されてからフイルム収納シースに挿入される。このフイルム収納シースの挿入を確率良く行うには、各ネガフイルム１７をつなぎ合わせて帯状にするのがよい。図５及び図６は、この実施例を示すものである。この実施例では、１件ごとの長尺状のネガフイルム１７をスプライサ１５０によって順に結合する。このスプライスサ１５０は、ロール形態から帯状に引き出したスプライステープ１５１を切断するカッタ１５２と、切断されたスプライステープ１５１ａを保持し、保持したスプライステープ１５１ａをネガフイルム１７とのつなぎ目に貼着する貼着機構１５３とから構成されている。
　【００２８】
　図７は、フイルム集積部１４の代わりにフイルムカッティングインサータを設けた実施例である。フイルムカッティングインサータは、ネガフイルム１７を所定フレームごとの短尺状ネガピースに切断するカッタ１４２と、ネガピースをフイルム収納シース１４３の袋部１４３ａ内に順次に搬送するフイルム搬送ローラ１４４と、フイルム収納シース１４３をネガピースの挿入方向に対して直交する方向に搬送し、ネガピースの搬送方向にあるセット位置に袋部１４３ａを順次にセットするシート搬送ローラ１４５とから構成されている。なお、この場合には、搬送ローラやベルトでネガフイルム１７を直接搬送する。
　【００２９】
　ところで、疑似ズームプリント等のため、写真撮影時や現像後に撮影情報やプリント情報等を磁気的に現像済みフイルムに記録しておき、これらの情報を用いてプリントを行うシステムが提案されている（特開昭６２―１０３６２５号、特開昭６２ー２０８０２８号、特開平１―２７９２３１号、特開平１―２８９９２８号公報等）。このシステムに用いられるネガフイルムには、透明な磁気記録層が塗布されており、カメラやプリンタ等で撮影情報やプリント情報等が記録されている。このような磁気記録層を備えたネガフイルムの場合には、所定フレーム毎に切断したネガピースとすると、上記情報が分断されることもあり、焼増しプリント時等に撮影情報を有効に利用することができなくなる。そこで、１本のネガフイルム１７をカートリッジにロール状に巻き込んで収納する。
　【００３０】
　図８及び図９は、１本のネガフイルム１７を保存用カートリッジ１６０に巻き込むようにした実施例を示す。保存用カートリッジ１６０は、開閉自在な蓋１６１とカートリッジ本体部１６２とから構成され、スプール１６３の係合端部を外部に露出するための孔１６４とフイルム出入口１６５とを備えている。なお、カートリッジ１６０としては、蓋１６１を省略して半割り部材を２つ接合してフイルム出入口１６５を設けた構成としてもよい。カートリッジ本体部１６２には、ネガフイルム１７をロール状に収納するためのフイルム収納室１６６が設けられており、ここにはネガフイルム１７を巻き取とった時の最大巻取り径とほぼ同じ大きさの内径で形成された２個の鍔付き固定ディスク板１６７，１６８を備えたスプール１６３が回動自在に収納されている。このスプール１６３には、その軸方向に沿ってネガフイルム１７が挿入される開口１６９が設けられており、この開口１６９の内部にネガフイルム１７を係止させるための係止爪１７０が設けられている。
　【００３１】
　１件分のネガフイルム１７は、撮像部１２で撮像終了後に、その先端に前記係止爪１７０に係合する孔がパンチ等により打ち抜かれ、保存用カートリッジ１６０に向けて搬送される。これにより、ネガフイルム１７は、その端部からフイルム出入口１６５を介してカートリッジ本体部１６２の内部に挿入され、さらに搬送されるこ
と
　【００３２】
　【発明の効果】
　以上説明したように、本発明によれば、フイルムの発色現像後に、フイルムの画像を撮像し、これを用いて感光材料に焼付露光するから、乾燥後の集積工程等と並行して、感光材料にフイルムの画像を焼付露光することができる。これにより、フイルムのハンドリングに必要な並行処理時間分だけ、ＤＰ処理時間を短縮することができ、且つ操作性も単純化できる。したがって、急ぎのＤＰ処理にも短時間で対応することができ、顧客の待ち時間をより一層短縮することができる。
　【００３３】
　また、従来のように現像済みのフイルムをプリンタプロセサにセットする必要もなくなる。これにより、手や装置等によるフイルムの汚れや傷つきが無くなり、仕上がりのよいプリントが得られるようになる。更に、フイルムー件分の画像データを読み取ってから、画像処理演算を行うことにより、フイルムの種類や撮影シーンの全体的な傾向に応じた補正が可能となる。
　【００３４】
　また、プリンタプロセサとして、フイルムを用いて焼付露光する第１の焼付露光系と、プリンタ対象フレームの画像データにより焼付露光する第２の焼付露光系とを用いることで、焼き増しのＤＰ処理と同時プリントのＤＰ処理とを選択することができ、顧客の注文に幅広く対応することができる。
　【００３５】
　さらに、プリンタをレーザープリンタとした場合には、フイルムから読み取った画像データに基づき、プリンタを作動させて感光材料に画像を記録するから、感光材料の現像速度と同じ速度でプリントをすることができ、従来の面露光方式において必要とされた感光材料のループ形成装置が不要になり、構成を簡単にかつコンパクトにまとめることができる。
【図面の簡単な説明】
　【図１】
　本発明の写真プリントシステムを示す概略図である。
　【図２】
　画像処理部を示すブロック図である。
　【図３】
　プリンタプロセサの別の実施例を示す概略図である。
　【図４】
　レーザープリンタを用いたプリント部の実施例を示す概略図である。
　【図５】
　ネガフイルムをスプライステープでつなぎ合わせるようにした実施例を示す概略図である。
　【図６】
　ネガフイルムをスプライステープでつなぎ合わせた状態を示す説明図である。
　【図７】
　ネガピースをフイルム収納シースに収納するようにした実施例を示す斜視図である。
　【図８】
　保存用カートリッジを示す斜視図である。
　【図９】
　ネガフイルムを保存用カートリッジに収納するようにした実施例を示す斜視図である。
　【図１０】
　従来の写真プリントシステムの各工程の処理時間を示す説明図である。
　【図１１】
　フイルムプロセサとプリンタプロセサとを連結した写真プロセサシステムの各工程の処理時間を示す説明図である。
　【符号の説明】
　２　フイルムプロセサ
　３　プリンタプロセサ
　６〜１１　処理槽
　１２　乾燥部
　１３　撮像部
　１７　ネガフイルム
　１８　カセット
　３４　画像処理部
　３５　プリント部
　３６　カラーペーパー
　３７　ペーパープロセサ部